(57)【要約】【課題】制御素子が不正取り替え、不正改造される事態を効果的に防止することが可能な遊技機用制御装置を提供する。【解決手段】制御装置１は、上カバー６に切断容易に設けられた各ネジ保持部９，９・・の内の左右の一つずつを、ネジ１３によって、下カバー５のネジ係合体２０，２０に螺着することによって、上カバー６と下カバー５とが合着した状態になっている。また、ネジ１３は、ワンウェイクラッチ機構を利用したものであり、かつ、ヘッド部にワンウェイタイプのネジ突起が設けられている。そして、ヘッド部を時計回りに回転させた場合には、その回転力が軸部に伝達されて軸部が回転するが、ヘッド部を反時計回りに回転させた場合には、ヘッド部が回転しないようになっている。また、無理矢理にヘッド部を回転させた場合でも、その回転力が軸部に伝達されず、軸部が回転しない状態を保持するようになっている。【選択図】図２
2010051787.tif 000002
【特許請求の範囲】
【請求項１】
上カバー、およびその上カバーと合致する下カバーによって、制御素子を設置した基板が覆われているとともに、
前記下カバーと螺合するネジを保持したネジ保持部が、切断可能な取付片を介して前記上カバーの端縁に設けられており、
そのネジ保持部に保持されたネジを下カバーと螺合することによって上カバーを下カバーに対して閉じた状態で保持するとともに、下カバーと螺合されたネジ保持部を上カバーから切断することによって、上カバーと下カバーとを分離する遊技機用制御装置であって、
前記ネジが、ワンウェイクラッチ機構を備えており、ヘッド部を正方向に回転させた場合には、軸部がヘッド部とともに回転し、ヘッド部を逆方向に回転させた場合には、ヘッド部のみが回転するように構成されたものであるとともに、
前記ヘッド部の外面に、ヘッド部を正方向に回転させるためのワンウェイタイプのネジ突起を形成したものであることを特徴とする遊技機用制御装置。
【請求項２】
ヘッド部の外面が球面状に形成されていることを特徴とする請求項１に記載の遊技機用制御装置。
【発明の詳細な説明】
【技術分野】
【０００１】
本発明は、パチンコ機、スロットマシーン等の遊技機に用いる遊技機用制御装置に関するものである。
【背景技術】
【０００２】
遊技機の一種であるパチンコ機には、制御装置が設けられており、内部の基板上にＲＯＭやＣＰＵ等の制御素子が設置されている。かかる制御素子は、パチンコ機の作動内容を制御するものであるため、パチンコ機が遊技者にとって都合良く作動するように、不正に取り替えられたり不正に改造されたりすることがある。このため、かかる不正を防止するために、従来の遊技機用制御装置の中には、切断可能な複数のネジ保持部を左右両端縁に設けた上カバーと、その上カバーと合致する下カバーとによって、制御素子を設置した基板を覆うとともに、左右のネジ保持部の内の一つずつを、かしめネジ（基端部の外面に対して垂直な面と基端部の外面に対して緩やかに傾斜した面とを有するネジ突起を基端部に設けたもの）を用いて、ドライバ等では外れないように下カバーに螺着することにより、ネジ保持部を切断しなければ上カバーを取り外すことができないようにして、上カバーの取り外しの痕跡が残るように構成したものがある（特許文献１）。
【先行技術文献】
【特許文献】
【０００３】
【特許文献１】特開平１１−０００４４４号公報
【発明の概要】
【発明が解決しようとする課題】
【０００４】
しかしながら、上記した切断可能なネジ保持部を設けた遊技機用制御装置は、かしめネジのヘッドに電気ドリル等で孔をあけられると、それらの孔を利用してネジを回転させることが可能となってしまうため、ネジ保持部を切断することなく上カバーを取り外すことができてしまう。このため、近年では、制御素子の不正取り替え、不正改造を効果的に防止することができなくなっていた。
【０００５】
本発明の目的は、上記従来の遊技機用制御装置の問題点を解消し、制御素子の不正取り替え、不正改造をきわめて効果的に防止することが可能で実用的な遊技機用制御装置を提供することにある。
【課題を解決するための手段】
【０００６】
本発明の内、請求項１に記載された発明は、上カバー、およびその上カバーと合致する下カバーによって、制御素子を設置した基板が覆われているとともに、前記下カバーと螺合するネジを保持したネジ保持部が、切断可能な取付片を介して前記上カバーの端縁に設けられており、そのネジ保持部に保持されたネジを下カバーと螺合することによって上カバーを下カバーに対して閉じた状態で保持するとともに、下カバーと螺合されたネジ保持部を上カバーから切断することによって、上カバーと下カバーとを分離する遊技機用制御装置であって、前記ネジが、ワンウェイクラッチ機構を備えており、ヘッド部を正方向に回転させた場合には、軸部がヘッド部とともに回転し、ヘッド部を逆方向に回転させた場合には、ヘッド部のみが回転するように構成されたものであるとともに、前記ヘッド部の外面に、ヘッド部を正方向に回転させるためのワンウェイタイプのネジ突起を形成したものであることを特徴とするものである。なお、ワンウェイタイプのネジ突起とは、ドライバーを正方向に回転させた場合に回転させた場合には噛み合い、ドライバーを逆方向に回転させた場合には噛み合わないように構成されたネジ突起のことである。
【０００７】
請求項２に記載された発明は、請求項１に記載された発明において、ヘッド部の外面が球面状に形成されていることを特徴とするものである。
【発明の効果】
【０００８】
請求項１に記載された遊技機用制御装置（以下、単に制御装置という）は、ネジのヘッド部のネジ突起を利用してヘッド部を正方向に回転させた場合には、軸部がヘッド部とともに回転するため、上カバーと下カバーとを螺合させることができるが、ネジ突起がワンウェイタイプのものであるため、逆方向に回転させることができない。また、ネジがワンウェイクラッチ機構を有しているため、電気ドリルやペンチ等を利用して無理矢理にヘッド部を逆方向に回転させても、ヘッド部のみが逆回転するだけで、ネジの軸部の下カバーに対する螺合状態が確実に保持される。それゆえ、取付片を切断することなく上カバーが不正に取り外される事態を効果的に防止することができる。したがって、請求項１に記載された制御装置によれば、制御素子の不正取り替え、不正改造を非常に効果的に防止することができる。
【０００９】
請求項２に記載された制御装置は、ヘッド部の外面が球面状に形成されているため、電気ドリルやペンチ等の工具の先端がヘッド部の外面上で滑り易いため、接着剤等により軸部とヘッド部とが接着されても、電気ドリル等により無理矢理にヘッド部を逆方向に回転させるのが難しい。したがって、請求項２に記載された制御装置によれば、取付片を切断することなく上カバーが不正に取り外されて制御素子が不正に取り替えられたり不正に改造されたりする事態をきわめて効果的に防止することができる。
【図面の簡単な説明】
【００１０】
【図１】遊技機用制御装置の正面図である。
【図２】図３におけるＡ−Ａ線断面を示す説明図である（ｂはａにおける波線部分の拡大図である）。
【図３】ネジの正面図（ａ）および平面図（ｂ）である。
【図４】ネジの断面図（図３におけるＡ−Ａ線断面図）である。
【図５】ネジのヘッド部を一部切り欠いて示す分解斜視図である。
【図６】ネジの軸部の分解図である。
【図７】下カバーの下固着翼の正面を示す説明図である。
【図８】規制リングの変更例を示す説明図である。
【図９】ネジの変更例を示す説明図である。
【発明を実施するための形態】
【００１１】
［制御装置の構造］
以下、本発明に係る制御装置について、図面に基づいて詳細に説明する。図１は、制御装置１の正面図であり、図２は、図１におけるＡ−Ａ線断面を示す説明図である（なお、図２（ｂ）は、図２（ａ）の一部を拡大して示したものである）。制御装置１は、ＲＯＭ８やＣＰＵ等の種々の制御素子を搭載した基板４、透明な合成樹脂製の上カバー６および下カバー５等によって構成されている。
【００１２】
上カバー６は、幅広な箱形に形成されており、左右両サイドに、縦長な長方形状の外形（正面から見た場合の外形）を有する上固着翼２６，２６が設けられている。各上固着翼２６，２６の上端縁には、それぞれ、係止孔１２が穿設されている。さらに、各係止孔１２，１２の下方には、それぞれ、略円筒状の４個のネジ保持部９，９・・が、左右に位置した切断可能な取付片１０，１０によって、各上固着翼１６，１６の前面に一体的に連設されており、後方に突出した状態になっている。
【００１３】
また、図２の如く、各ネジ保持部９の略中央には、仕切板３５が形成されており、仕切板３５の中央には、ネジ挿通孔１８が穿設されている。さらに、仕切板３５の裏側には、２つの弾性片２８，２８が後方に突出するように設けられている。そして、各ネジ保持部９，９・・においては、ワンウェイクラッチ機構を利用したネジ１３が、ネジ挿通孔１８に挿通され、弾性片２８，２８によって先端を把持された状態で保持されている。
【００１４】
図３（ａ），（ｂ）、図４は、それぞれ、ネジ１３の正面図、平面図、および水平断面図（図３におけるＡ−Ａ線断面図）であり、ネジ１３は、下カバー５と螺合させるための軸部１４と、軸部１４を片方向にのみ回転させるためのヘッド部１５とを組み付けることによって形成されている。また、図５は、ヘッド部１５の分解斜視図であり、ヘッド部１５は、ハウジングとして機能するキャップ体２１と、キャップ体２１の内側に組み込むためのコア２２と、キャップ体２１の下蓋として機能する蓋体２３と、軸部１４の所定方向の回転を規制するストッパーとして機能する複数のニードル３１，３１・・と、それらのニードル３１，３１・・を付勢するためのバネ部材５３とによって構成されている。
【００１５】
キャップ体２１は、合成樹脂によって円筒状部分Ｔの外側に球面状部分Ｓを連設した椀の如き形状に一体的に形成されている。そして、外面には、ワンウェイタイプの２つのネジ突起７，７が形成されており、それらのネジ突起７，７が、キャップ体２１の中心に対して点対称に配置された状態になっている。各ネジ突起７，７は、キャップ体２１の外面を扁平な三角錘状に隆起させることによって形成されており、キャップ体２１の中心に対して外側の外周が円弧状になっている。また、各ネジ突起７，７の片端には、ドライバーの先端面に当接させるための扁平な三角形状の当接面４９が、キャップ体２１の外面と直交するように設けられている。そして、その当接面４９の付近の高さが最も高くなっており、当接面４９から離れるにしたがって次第に低くなっている。キャップ体２１は、上記の如く構成されているため、各ネジ突起７，７の当接面４９，４９にマイナスのドライバーを押し当てて時計回り（右回り）に回転させた場合には、そのドライバの回転に伴って時計回りに回転するが、ドライバーを反時計回り（左回り）に回転させた場合には、キャップ体２１の外面上でドライバーがスリップして回転しないようになっている。
【００１６】
加えて、キャップ体２１の円筒状部分Ｔの内側には、コア２２を固定するための複数の凸部２７，２７・・が形成されている。さらに、キャップ体２１の内側の円筒状部分Ｔと球面状部分Ｓとの境には、内蔵するコア２２を位置決めするための段差５０が設けられており、球面状部分Ｓの中心の内側には、螺着する際に軸部１４の基端と当接させるための押止突起５１が設けられている。
【００１７】
コア２２は、扁平な円筒状に形成されており、外周には、キャップ体２１の凸部２７と噛合する複数の凹部２９，２９・・が形成されている。さらに、コア２２の中心には、軸部１４を挿入するための軸孔３０が穿設されている。そして、その軸孔３０の周囲には、ニードル３１を挿入するための複数のニードル孔３２，３２・・が設けられており、それらのニードル孔３２，３２・・と隣り合うように、バネ部材５３の先端（バネ部５５）を挿入するための複数のバネ孔５４，５４・・が設けられている。また、図４の如く、各ニードル孔３２，３２・・の傾斜面３７は、バネ孔５４に近い側から遠ざかるにつれて、軸孔３０に挿通した軸部１４の外周面からの距離が短くなるように傾斜した状態になっている。すなわち、傾斜面３７のバネ孔５４に近い側の部分は、軸部１４の外周面からの距離がニードル３１の直径よりも長くなっており、傾斜面３７のバネ孔５４から遠い側の部分は、軸部１４の外周面からの距離がニードル３１の直径よりも短くなっている。そして、傾斜面３７と軸部１４の外周とによって、くさび状の挟持部（図５における斜線部Ｇ）が形成されるようになっている。
【００１８】
バネ部材５３は、金属板によって一体的に形成されており、軸部１４を挿通させるための挿通孔４０を中央に穿設した環状の連結部５６の表面に、先端を略Ｕ字状に屈曲させた複数のバネ部５５，５５・・が等間隔に突設されている。また、蓋体２３は、円盤状に形成されており、軸部１４を挿通させるための軸受孔２４が中央に穿設されている。さらに、表面には、キャップ体２１に嵌め込むための突起部４４が形成されている。
【００１９】
一方、図６は、軸部１４を分解した状態を示したものであり、軸部１４は、長尺な略円柱状に形成された軸本体４３と、幅広な円盤状に形成されたフランジ体４１とによって構成されている。軸本体４３の基端の外面の中央には、フランジ体４１を螺着するためのネジ溝４５が穿設されており、先端際の外周には、下カバー５と螺合させるためのネジ溝４２が周設されている。また、軸本体４３の中央よりやや基端よりの位置には、扁平なドーナッツ状の規制リング５２が外嵌されて圧着されており、軸本体４３から一定幅で外側へ突出した状態になっている。さらに、フランジ体４１の裏面の中央には、軸本体１４に螺着するためのネジ突起４６が設けられている。
【００２０】
ネジ１３を組み付ける際には、まず、コア２２のニードル孔３２，３２・・、バネ孔５４，５４・・に、それぞれ、ニードル３１，３１・・、バネ部材５３のバネ部５５，５５・・を組み込む（バネ部材５３の連結部５６がコア２２の先端側に位置するように組み込む）。しかる後、コア２２の先端側に蓋体２３を配置させ、重なり合った蓋体２３の挿通孔２４およびコア２２の軸孔３０に、軸部１４の軸本体４３を挿通させ（軸部１４の先端側が蓋体２３側となるように挿通させ）、挿通した軸本体１４の基端にフランジ体４１を螺着させる（そのように組み付けることによって、軸部１４がコア２２、バネ部材５３、および蓋体２３から外れない状態となる）。さらに、そのように軸部１４と一体となったコア２２を、基端側に重なった軸部１４のフランジ体４１と一緒に、キャップ体２１の内部に嵌め込む（コア２２の外周の凹部２９，２９・・にキャップ体２１の円筒状部分Ｔの内周の凸部２７，２７を嵌合させるようにして嵌め込む）。そして、コア２２を嵌め込んだキャップ体２１の先端側に、蓋体２３の突起部４４を嵌合させることにより、キャップ体２１を蓋体２３で閉塞して固定する。なお、組み付けられたネジ１３においては、キャップ体２１の内側の押止突起５１とフランジ体４１との間に、所定量（約１．０ｍｍ）の隙間が形成された状態になっている。
【００２１】
上記の如く構成されたネジ１３においては、ネジ突起７，７を利用してドライバーによってキャップ体２１を時計回りに回転させた場合には、キャップ体２１に嵌合されたコア２２が、軸部１４に対して相対的に時計回り（図４におけるＸ方向）に回転する。そのようにコア２２が回転すると、軸部１４と接触している各ニードル３１，３１・・が、軸部１４との摩擦力およびバネ部材５３の付勢力によって、ニードル孔３２内でバネ孔５４から離れる方向（すなわち、ニードル孔３２の端面３８の方向）へ押し出される。そして、押し出された各ニードル３１，３１・・は、傾斜面３７と軸部１４の外周とで形成されるくさび状の挟持部Ｇに挟み込まれて固定される。そのようにニードル３１，３１・・が挟持部Ｇに挟持されると、各ニードル３１，３１・・の軸部１４に対する押圧力が増大し、軸部１４に対してコア２２が相対回転できなくなるため、キャップ体２１およびコア２２の時計回りの回転に伴って軸部１４が時計回りに回転することになる。
【００２２】
一方、ドライバーでキャップ体２１を反時計回りに回転させようとしても、キャップ体２１の外面上でドライバーがスリップするため、キャップ体２１は回転しない。また、電気ドリルやペンチ等の工具を利用して、キャップ体２１を無理矢理に反時計回りに回転させた場合には、キャップ体２１に嵌合されたコア２２が、軸部１４に対して反時計回り（図４におけるＹ方向）に回転する。そのようにコア２２が軸部１４に対して反時計回りに回転すると、軸部１４と接触している各ニードル３１，３１・・が、軸部１４との摩擦力によって、バネ部材５３の付勢力に抗して、挟持部Ｇの拘束から外れて、ニードル孔３２内でバネ孔５４に近づく方向へ押し出される。各ニードル孔３２，３２・・においては、上述の如く、バネ孔５４に近い側の周壁と軸部１４との距離がニードル３１の直径よりも大きくなっているので、各ニードル３１，３１・・は、ニードル孔３２内でバネ孔５４に近づく方向へ押し出されると、軸部１４と接触しない状態を保つことが可能となる。したがって、軸部１４に対してコア２２が相対的に回転可能となるため、キャップ体２１およびコア２２が回転しても、軸部１４は回転しない状態で保持される。上記の如く、ワンウェイクラッチ機構を利用したネジ１３においては、キャップ体２１を時計回りに回転させた場合には、その回転力が軸部１４に伝達されて軸部１４が回転し、キャップ体２１を反時計回りに回転させた場合（キャップ体２１を把持する等の方法により無理矢理に回転させた場合）には、その回転力が軸部１４に伝達されず、軸部１４が回転しない状態を保持する。
【００２３】
一方、図２の如く、下カバー５は、上カバー６と同一幅に形成されており、左右両サイドに、上カバー６の各上固着翼１６，１６と同様な縦長の長方形状の外形（正面から見た場合の外形）を有する下固着翼１７，１７が連設されている。そして、各下固着翼１７，１７の上端縁には、それぞれ、先端を矢尻状に形成した係止突片１１が突設されている。また、図７は、各下固着翼１７の正面を示したものであり、各下固着翼１７，１７の上カバー６の各ネジ保持部９，９・・と対応する位置には、ネジ孔３６を穿設してなるネジ係合体２０，２０・・が、支持アーム３３，３３および支持リブ３４，３４によって左右の壁板１９，１９等に支持された状態で設けられている。
【００２４】
制御装置１は、基板４を下カバー５の内面に螺着した状態で、上カバー６の各上固着翼１６，１６を下カバー５の各下固着翼１７，１７に重ね合わせ、各係止突片１１，１１を各係止孔１２，１２に係止させた状態で、左側の最上方のネジ保持部９（「１」を付したネジ保持部９）に保持されたワンウェイタイプのネジ１３を時計回りに回転させることによって左側の最上方のネジ係合体２０に螺着するとともに、右側の最下方のネジ保持部９（「１」を付したネジ保持部９）に保持されたワンウェイタイプのネジ１３を時計回りに回転させることによって右側の最下方のネジ係合体２０に螺着することによって、組み立てられている。そして、ＲＯＭ８やＣＰＵ等の種々の制御素子を搭載した基板４が、上カバー６および下カバー５によって覆われた状態になっている（なお、図１の如く、基板４は、上側の一部のみ露出した状態になっている）。なお、ネジ係合体２０へのネジ１３のねじ込み量は、規制リング５２によって所定量（約１０ｍｍ）に規制されている。また、ネジ保持部９内のネジ１３をネジ係合体２０に螺着させる際には、キャップ体２１の内側の押止突起５１が弾性によってフランジ体４１と当接するため、キャップ体２１の空回りがきわめて高い精度で防止される。
【００２５】
［制御装置の作動内容］
上記の如く構成された制御装置１は、パチンコ機の裏面側の機構板等に設置された状態で使用される。そして、搭載されたＲＯＭ８やＣＰＵ等の種々の制御素子によって、パチンコ機の作動内容を制御する。
【００２６】
そして、上カバー６のネジ保持部９，９と下カバー５のネジ係合体２０，２０とが、ワンウェイクラッチ機構を備え、かつ、ワンウェイタイプのネジ突起７，７を設けたネジ１３，１３によって螺着されているため、ネジ１３，１３を螺着時と反対方向（左回り）に回転させることができず、ネジ保持部９とネジ係合体２０との螺着状態を解除することができない。それゆえ、上カバー６を取り外す場合には、ネジ係合体２０，２０と螺着したネジ保持部９，９の前方に設けられた２つの取付片１０，１０・・を、ニッパ等の工具で切断し、かかるネジ保持部９，９を上カバー６から切り離すことによって、上カバー６と下カバー５とを分離しなければならない。
【００２７】
また、再度 上カバー６を下カバー５に合着させる場合には、左側の最上方のネジ係合体２０および右側の最下方のネジ保持部９以外のネジ保持部９，９（すなわち、未だネジ係合体２０と螺着していない同じ番号を付したネジ保持部９，９同士）を、それぞれ、ネジ１３，１３により同位置のネジ係合体２０，２０と螺着すれば良い。それゆえ、一旦、上カバー６と下カバー５とを分離した後でも、再度、上カバー６を下カバー５に合着させることができ、そのような上カバー６、下カバー５の分離、合着を４回繰り返すことができる。
【００２８】
［制御装置の効果］
制御装置１は、上記の如く、上カバー６を下カバー５と分離するためには、取付片１０，１０・・を切断することによりネジ係合体２０，２０と螺着されたネジ保持部９，９を上カバー６から切り離さなければならないため、上カバー６が取り外された場合には、必ずその痕跡が残る。それゆえ、上カバー６の開閉の有無を容易に把握することができる。それにも拘わらず、各取付片１０，１０が容易に切断可能な構造を有しているため、それらの取付片１０，１０をニッパ等の工具で切断することによって、上カバー６を容易に取り外して、基板８上に設置された制御素子の内容をチェックすることができる。
【００２９】
さらに、ネジ１３のヘッド部１５のネジ突起７，７を利用してヘッド部１５を正方向に回転させた場合には、軸部１４がヘッド部１５とともに回転するため、上カバー６と下カバー５とを螺合させることができるが、ネジ突起７，７がワンウェイタイプのものであるため、逆方向に回転させることができない。また、ネジ１３がワンウェイクラッチ機構を有しているため、電気ドリルやペンチ等を利用して無理矢理にヘッド部１５を逆方向に回転させても、ヘッド部１５のみが逆回転するだけで、ネジ１３の軸部１４の下カバー５に対する螺合状態が確実に保持される。それゆえ、取付片１０，１０・・を切断することなく上カバー６が不正に取り外される事態を効果的に防止することができる。したがって、制御装置１によれば、ＲＯＭ８等の制御素子の不正取り替え、不正改造を非常に効果的に防止することができる。
【００３０】
また、制御装置１は、ヘッド部１５の外面が球面状に形成されているため、電気ドリルやペンチ等の工具の先端がヘッド部１５の外面上で滑り易いため、接着剤等により軸部１４とヘッド部１５とが接着されても、電気ドリル等により無理矢理にヘッド部１５を逆方向に回転させるのが難しい。したがって、制御装置１によれば、取付片１０，１０・・を切断することなく上カバー６が不正に取り外されてＲＯＭ８等の制御素子が不正に取り替えられたり不正に改造されたりする事態をきわめて効果的に防止することができる。
【００３１】
［制御装置の変更例］
なお、本発明の制御装置は、上記実施形態の態様に何ら限定されるものではなく、基板、上カバー、下カバー、ワンウェイタイプのネジ等の形状、構造等の構成を本発明の趣旨を逸脱しない範囲内で適宜変更することができる。
【００３２】
たとえば、上カバーの各上固着翼に設けるネジ保持部の個数や、下カバーの左右の各下固着翼に設ける取付タブの個数は、４個に限定されず、３個以下あるいは５個以上でも良い。また、各上固着翼とネジ保持部とを連結する取付片の個数も、２個に限定されず、１個でも良いし、３個以上でも良い。さらに、上固着翼や下固着翼の設置位置は、上下カバーの左右両端縁に限定されず、上下カバーの上下両端縁でも良い。
【００３３】
また、ワンウェイタイプのネジは、上記実施形態の如く、ヘッド部の外面を球面状に形成したものに限定されず、ヘッド部が扁平な円柱状に形成されたもの等でも良い。加えて、先端を平坦に形成したものに限定されず、先端の尖った木ネジ等の他の形状を有するものでも良い。さらに、ネジのキャップ体に設けるネジ突起の個数は、２個に限定されず、プラスのドライバーに対応させるために４個等に変更することも可能である。また、ネジの軸部に固着させる規制リングは、上記実施形態の如き扁平なドーナッツ状のものに限定されず、図８の如きＥリング状のものや、中央を円形に穿設した非円形の板状体等に変更することも可能である。加えて、規制リングは、上記実施形態の如く、軸本体に外嵌して圧着するものに限定されず、軸本体に一体的に形成したものでも良いし、溶接や接着によって軸本体に固着するもの等に変更することも可能である。
【００３４】
さらに、ワンウェイタイプのネジは、上記実施形態の如く、ヘッド部に内蔵された複数のニードルを軸部に押し付けるワンウェイクラッチ機構を利用したものに限定されず、別のワンウェイクラッチ機構を利用したものに変更することも可能である。加えて、ワンウェイタイプのネジとして、上記実施形態の如き複数のニードルを軸部に押し付けるワンウェイクラッチ機構を利用したものを用いる場合には、ニードルを付勢するためのバネは、基端側を二つ折りした形状のものに限定されず、軸部の長手方向に沿って山折り線と谷折り線とを連続させた形状のもの等でも良い。また、軸部を固定するためのニードルの個数は７個に限定されず、６個以下や８個以上に変更することも可能である。さらに、ネジのヘッド部のキャップ体やコアは、一体的に設けられたものに限定されず、複数の部材を組み付けることによって構成されるものに変更することも可能である。
【００３５】
加えて、ワンウェイタイプのネジは、上記実施形態の如く、キャップ体と蓋体とによって構成されるハウジングの内部に、コア、バネ部材等を内蔵したものに限定されず、バネ部材および蓋体を一体的に設けたコアとキャップ体とによってヘッド部が構成されたものに変更することも可能である。また、そのようにバネ部材および蓋体をコアに一体的に設ける場合には、図９（ａ）の如く、コア２２’の外周面に柱状突起６１，６１を設けるとともに、キャップ体２１の円筒状部分Ｔに柱状凹部６０，６０を設け、柱状突起６１，６１を柱状凹部６０，６０に嵌合させることによって、キャップ体２１をコア２２’に装着できるように構成することも可能である。なお、そのように構成する場合には、コアの外周面に設ける凹部やキャップ体の内周面に設ける凸部の構成を省略することも可能である。また、図９（ｂ）の如く、コア２２”の外周面に周状突起６３を設けるとともに、キャップ体２１の円筒状部分Ｔに周状凹部６２を設け、周状突起６３を周状凹部６２に嵌合させることによって、キャップ体２１をコア２２”に装着できるように構成することも可能である。なお、そのように構成する場合には、コアに対するキャップ体の相対回転を防止するために、上記実施形態の如く、コアの外周面に凹部を設けるとともにキャップ体の内周面に凸部を設ける（あるいはコアの外周面に凸部を設けるとともにキャップ体の内周面に凹部を設ける）等の構成を採用する必要がある。そのようにバネ部材および蓋体をコアに一体的に設けた場合には、遊技機用制御装置の製造時におけるワンウェイタイプのネジの組み付けがきわめて容易なものとなる、というメリットがある。
【００３６】
なお、上記実施形態においてはパチンコ機に使用される制御装置について説明したが、本発明の制御装置が使用される遊技機は、スロットマシーンやテレビゲーム等のパチンコ機以外の遊技機でも良い。
【符号の説明】
【００３７】
１・・制御装置
４ａ，４ｂ・・基板
５・・下カバー
６・・上カバー
７・・ネジ突起
８・・制御素子  
９・・ネジ保持部
１３・・ネジ
１４・・軸部
１５・・ヘッド部
【図１】
2010051787.tif 000003
【図２】
2010051787.tif 000004
【図３】
2010051787.tif 000005
【図４】
2010051787.tif 000006
【図５】
2010051787.tif 000007
【図６】
2010051787.tif 000008
【図７】
2010051787.tif 000009
【図８】
2010051787.tif 000010
【図９】
2010051787.tif 000011
【手続補正書】
【提出日】平成21年7月21日(2009.7.21)
【手続補正１】
【補正対象書類名】特許請求の範囲
【補正対象項目名】全文
【補正方法】変更
【補正の内容】
【特許請求の範囲】
【請求項１】
上カバー、およびその上カバーと合致する下カバーによって、制御素子を設置した基板が覆われているとともに、
前記下カバーと螺合するネジを保持したネジ保持部が、切断可能な取付片を介して前記上カバーの端縁に設けられており、
そのネジ保持部に保持されたネジを下カバーと螺合することによって上カバーを下カバーに対して閉じた状態で保持するとともに、下カバーと螺合されたネジ保持部を上カバーから切断することによって、上カバーと下カバーとを分離する遊技機用制御装置であって、
前記ネジが、ワンウェイクラッチ機構を備えており、ヘッド部を正方向に回転させた場合には、軸部がヘッド部とともに回転し、ヘッド部を逆方向に回転させた場合には、ヘッド部のみが回転するように構成されたものであるとともに、
前記ヘッド部の外面にネジ突起を形成したものであることを特徴とする遊技機用制御装置。
【請求項２】
ヘッド部の外面が球面状に形成されていることを特徴とする請求項１に記載の遊技機用制御装置。
【請求項３】
上カバー、およびその上カバーと合致する下カバーによって、制御素子を設置した基板が覆われているとともに、
前記下カバーと螺合するネジを保持したネジ保持部が、切断可能な取付片を介して前記上カバーの端縁に設けられており、
そのネジ保持部に保持されたネジを下カバーと螺合することによって上カバーを下カバーに対して閉じた状態で保持するとともに、下カバーと螺合されたネジ保持部を上カバーから切断することによって、上カバーと下カバーとを分離する遊技機用制御装置であって、
前記ネジが、ワンウェイクラッチ機構を備えており、ヘッド部を正方向に回転させた場合には、軸部がヘッド部とともに回転し、ヘッド部を逆方向に回転させた場合には、ヘッド部のみが回転するように構成されたものであるとともに、
前記螺合する部位と前記ヘッド部との間に規制リングを一体的に設けたことを特徴とする遊技機用制御装置。
【手続補正２】
【補正対象書類名】明細書
【補正対象項目名】０００６
【補正方法】変更
【補正の内容】
【０００６】
本発明の内、請求項１に記載された発明は、上カバー、およびその上カバーと合致する下カバーによって、制御素子を設置した基板が覆われているとともに、前記下カバーと螺合するネジを保持したネジ保持部が、切断可能な取付片を介して前記上カバーの端縁に設けられており、そのネジ保持部に保持されたネジを下カバーと螺合することによって上カバーを下カバーに対して閉じた状態で保持するとともに、下カバーと螺合されたネジ保持部を上カバーから切断することによって、上カバーと下カバーとを分離する遊技機用制御装置であって、前記ネジが、ワンウェイクラッチ機構を備えており、ヘッド部を正方向に回転させた場合には、軸部がヘッド部とともに回転し、ヘッド部を逆方向に回転させた場合には、ヘッド部のみが回転するように構成されたものであるとともに、前記ヘッド部の外面にネジ突起を形成したものであることを特徴とするものである。なお、かかるネジ突起としては、ドライバーを正方向に回転させた場合に回転させた場合には噛み合い、ドライバーを逆方向に回転させた場合には噛み合わないように構成されたワンウェイタイプのネジ突起が好ましい。
【手続補正３】
【補正対象書類名】明細書
【補正対象項目名】０００７
【補正方法】変更
【補正の内容】
【０００７】
請求項２に記載された発明は、請求項１に記載された発明において、ヘッド部の外面が球面状に形成されていることを特徴とするものである。
請求項３に記載された発明は、上カバー、およびその上カバーと合致する下カバーによって、制御素子を設置した基板が覆われているとともに、前記下カバーと螺合するネジを保持したネジ保持部が、切断可能な取付片を介して前記上カバーの端縁に設けられており、そのネジ保持部に保持されたネジを下カバーと螺合することによって上カバーを下カバーに対して閉じた状態で保持するとともに、下カバーと螺合されたネジ保持部を上カバーから切断することによって、上カバーと下カバーとを分離する遊技機用制御装置であって、前記ネジが、ワンウェイクラッチ機構を備えており、ヘッド部を正方向に回転させた場合には、軸部がヘッド部とともに回転し、ヘッド部を逆方向に回転させた場合には、ヘッド部のみが回転するように構成されたものであるとともに、前記螺合する部位と前記ヘッド部との間に規制リングを一体的に設けたことを特徴とするものである。
【手続補正４】
【補正対象書類名】明細書
【補正対象項目名】０００８
【補正方法】変更
【補正の内容】
【０００８】
請求項１に記載された遊技機用制御装置（以下、単に制御装置という）は、ネジがワンウェイクラッチ機構を有しているため、ネジのヘッド部のネジ突起を利用してヘッド部を正方向に回転させた場合には、軸部がヘッド部とともに回転するため、上カバーと下カバーとを螺合させることができるが、逆方向に回転させることができない。また、電気ドリルやペンチ等を利用して無理矢理にヘッド部を逆方向に回転させても、ヘッド部のみが逆回転するだけで、ネジの軸部の下カバーに対する螺合状態が確実に保持される。それゆえ、取付片を切断することなく上カバーが不正に取り外される事態を効果的に防止することができる。したがって、請求項１に記載された制御装置によれば、制御素子の不正取り替え、不正改造を非常に効果的に防止することができる。
【手続補正５】
【補正対象書類名】明細書
【補正対象項目名】０００９
【補正方法】変更
【補正の内容】
【０００９】
請求項２に記載された制御装置は、ヘッド部の外面が球面状に形成されているため、電気ドリルやペンチ等の工具の先端がヘッド部の外面上で滑り易いため、接着剤等により軸部とヘッド部とが接着されても、電気ドリル等により無理矢理にヘッド部を逆方向に回転させるのが難しい。したがって、請求項２に記載された制御装置によれば、取付片を切断することなく上カバーが不正に取り外されて制御素子が不正に取り替えられたり不正に改造されたりする事態をきわめて効果的に防止することができる。
請求項３に記載された制御装置も、請求項１に記載された制御装置と同様に、取付片を切断することなく上カバーが不正に取り外される事態を効果的に防止することができ、制御素子の不正取り替え、不正改造を非常に効果的に防止することができる。